(57)【特許請求の範囲】
【請求項１】
媒体を取り込む媒体取込部と、
前記媒体を鑑別する鑑別部と、
前記媒体を搬送する上段搬送部と、を備える上段部と、
前記上段搬送部により搬送された鑑別後の前記媒体を処理する下段部と、
前記上段部が前記下段部方向に有する開口部を閉鎖するトレイと、
を備え、
前記トレイは、前記上段部に設けられ、
前記下段部は、前記下段部を開閉する扉を有し、
前記トレイは、前記上段部に設けられ、さらに、前記扉が開放されることで現れる開口部から、略水平方向にスライド移動で外部に引き出される構造である、媒体処理装置。
【請求項２】
媒体を取り込む媒体取込部と、
前記媒体を鑑別する鑑別部と、
前記媒体を搬送する上段搬送部と、を備える上段部と、
前記上段搬送部により搬送された鑑別後の前記媒体を処理する下段部と、
前記上段部が前記下段部方向に有する開口部を閉鎖するトレイと、
を備え、
前記トレイは、引き出し構造であり、
前記下段部は、当該下段部に開口する下段部開口部と、前記下段部開口部を開閉する扉と、前記下段部開口部と前記トレイとの間に位置すると共に、前記扉と一体に構成された、前記媒体を搬送する下段搬送部を有する、媒体処理装置。
【請求項３】
媒体を取り込む媒体取込部と、
前記媒体を鑑別する鑑別部と、
前記媒体を搬送する上段搬送部と、を備える上段部と、
前記上段搬送部により搬送された鑑別後の前記媒体を処理する下段部と、
前記上段部が前記下段部方向に有する開口部を閉鎖するトレイと、
を備え、
前記トレイは、前記上段部に設けられ、
前記下段部は、当該下段部に開口する下段部開口部と、前記下段部開口部を開閉する扉と、前記下段部開口部と前記トレイとの間に位置すると共に、前記扉と一体に構成された、前記媒体を搬送する下段搬送部を有する、媒体処理装置。
【請求項４】
媒体を取り込む媒体取込部と、
前記媒体を鑑別する鑑別部と、
前記媒体を搬送する上段搬送部と、を備える上段部と、
前記上段搬送部により搬送された鑑別後の前記媒体を処理する下段部と、
前記上段部が前記下段部方向に有する開口部を閉鎖するトレイと、
前記トレイにおける異物の貯留状況を検出する異物貯留センサと、
を備える、媒体処理装置。
【請求項５】
前記トレイは、複数のトレイからなる、請求項１〜４の記載の媒体処理装置。
【請求項６】
前記複数のトレイの各々は、他のトレイと鉛直方向において重複する、請求項５記載の媒体処理装置。
【請求項７】
前記トレイの少なくとも一部が透明である、請求項１〜６のいずれか１項に記載の媒体処理装置。
【請求項８】
前記トレイは、前記媒体処理装置と吸着可能な吸着構造を備える、請求項１〜７のいずれか１項に記載の媒体処理装置。
【請求項９】
前記媒体処理装置は、前記異物の貯留状況を操作者に向けて表示する表示部を備える、請求項４に記載の媒体処理装置。
【請求項１０】
前記表示部は、前記トレイにおける異物が所定量以上貯留した場合にアラームを表示する、請求項９に記載の媒体処理装置。
【請求項１１】
前記表示部は、前記トレイにおける異物の清掃手順を表示する、請求項９または１０に記載の媒体処理装置。
【発明の詳細な説明】
【技術分野】
【０００１】
本発明は、媒体処理装置に関する。
【背景技術】
【０００２】
従来から、紙幣等の紙葉類等の媒体をセットして一枚ずつ繰り出し、識別して分類して整理する紙幣処理装置（媒体処理装置）が、よく知られている。このような媒体処理装置として、例えば紙幣処理装置は、オペレータによりセットされた紙幣を取り込む取込部と、取り込まれた紙幣の正損状態と金種とを鑑別し、且つ、紙幣を計数する鑑別部と、紙幣を金種ごとに集積する単一または複数の集積部と、集積された紙幣を所定の枚数ごとに結束する結束部と、集積部から結束部へ集積された紙幣を移送する移送部と、紙幣を紙幣処理装置内の各所へ搬送する搬送部と、鑑別部での鑑別結果に基づいて、紙幣を各集積部へ搬送するように搬送部を制御する制御部と、を主に有する。例えば、取込部及び鑑別部は、紙幣処理装置の上段部に備えられ、集積部、結束部及び移送部は、紙幣処理装置の下段部に備えられる（例えば、特許文献１）。また、搬送部は、上段部と下段部に備えられる。
【先行技術文献】
【特許文献】
【０００３】
【特許文献１】特許第４３６３５４１号公報
【発明の概要】
【発明が解決しようとする課題】
【０００４】
このような紙幣処理装置（媒体処理装置）では、取込部において、外部から埃等を取り込んでしまう場合がある。また、紙幣の鑑別、計数、または搬送する際に、鑑別部や搬送部からインク粉や紙粉が発生する（以下、埃等、インク粉および紙粉をまとめて「異物」とする場合がある）。上段部に備えられた取込部、鑑別部および搬送部からの異物は、開口部を介して下段部に落下する。上段搬送部により搬送された鑑別後の媒体を処理する下段部には、機構部の動作を円滑にするためや機構部の寿命を延ばすために潤滑油等が用いられる場合があり、潤滑油等が異物に吸油されてしまうことで、機構部の動作や寿命に不具合が生じる場合がある。すなわち、上段部から落下した異物が、下段部の動作不良や寿命低下をもたらす場合がある。
【０００５】
そこで、本発明は、上記問題に鑑みてなされたものであり、本発明の目的とするところは、上段搬送部により搬送された鑑別後の媒体を処理する下段部の動作不良や寿命低下を防止することができる、新規かつ改良された媒体処理装置を提供することにある。
【課題を解決するための手段】
【０００６】
上記課題を解決するために、本発明のある観点によれば、媒体を取り込む媒体取込部と、前記媒体を鑑別する鑑別部と、前記媒体を搬送する上段搬送部と、を備える上段部と、前記上段搬送部により搬送された鑑別後の前記媒体を処理する下段部と、前記上段部が前記下段部方向に有する開口部を閉鎖するトレイと、を備え、前記トレイは、前記上段部に設けられ、前記下段部は、前記下段部を開閉する扉を有し、前記トレイは、前記上段部に設けられ、さらに、前記扉が開放されることで現れる開口部から、略水平方向にスライド移動で外部に引き出される構造である、媒体処理装置が提供される。
【０００７】
上記課題を解決するために、本発明の別の観点によれば、媒体を取り込む媒体取込部と、前記媒体を鑑別する鑑別部と、前記媒体を搬送する上段搬送部と、を備える上段部と、前記上段搬送部により搬送された鑑別後の前記媒体を処理する下段部と、前記上段部が前記下段部方向に有する開口部を閉鎖するトレイと、を備え、前記トレイは、引き出し構造であり、前記下段部は、当該下段部に開口する下段部開口部と、前記下段部開口部を開閉する扉と、前記下段部開口部と前記トレイとの間に位置すると共に、前記扉と一体に構成された、前記媒体を搬送する下段搬送部を有する、媒体処理装置が提供される。
【０００８】
上記課題を解決するために、本発明の別の観点によれば、媒体を取り込む媒体取込部と、前記媒体を鑑別する鑑別部と、前記媒体を搬送する上段搬送部と、を備える上段部と、前記上段搬送部により搬送された鑑別後の前記媒体を処理する下段部と、前記上段部が前記下段部方向に有する開口部を閉鎖するトレイと、を備え、前記トレイは、前記上段部に設けられ、前記下段部は、当該下段部に開口する下段部開口部と、前記下段部開口部を開閉する扉と、前記下段部開口部と前記トレイとの間に位置すると共に、前記扉と一体に構成された、前記媒体を搬送する下段搬送部を有する、媒体処理装置が提供される。
【０００９】
上記課題を解決するために、本発明の別の観点によれば、媒体を取り込む媒体取込部と、前記媒体を鑑別する鑑別部と、前記媒体を搬送する上段搬送部と、を備える上段部と、前記上段搬送部により搬送された鑑別後の前記媒体を処理する下段部と、前記上段部が前記下段部方向に有する開口部を閉鎖するトレイと、前記トレイにおける異物の貯留状況を検出する異物貯留センサと、を備える、媒体処理装置が提供される。
【００１０】
前記トレイは、複数のトレイからなってもよい。
【００１１】
前記複数のトレイの各々は、他のトレイと鉛直方向において重複してもよい。
【００１２】
前記トレイの少なくとも一部が透明であってもよい。
【００１３】
前記トレイは、前記媒体処理装置と吸着可能な吸着構造を備えてもよい。
【００１４】
前記媒体処理装置は、前記トレイにおける異物の貯留状況を検出する異物貯留センサを備えてもよい。
【００１５】
前記媒体処理装置は、前記異物の貯留状況を操作者に向けて表示する表示部を備えてもよい。
【００１６】
前記表示部は、前記トレイにおける異物が所定量以上貯留した場合にアラームを表示してもよい。
【００１７】
前記表示部は、前記トレイにおける異物の清掃手順を表示してもよい。
【発明の効果】
【００１８】
以上説明したように本発明によれば、上段搬送部により搬送された鑑別後の媒体を処理する下段部の動作不良や寿命低下を防止することができる媒体処理装置を提供することができる。
【図面の簡単な説明】
【００１９】
【図１】第１実施形態の紙幣処理装置の基本構成を示す概略側面図である。
【図２】第１実施形態の紙幣処理装置の開口部および開口部を閉鎖するトレイを示す模式図である。
【図３】第１実施形態の紙幣処理装置において、下段部の開口部周辺を拡大した模式図である。
【図４】第２実施形態の紙幣処理装置の構成を示す概略側面図である。
【図５】第３実施形態の紙幣処理装置の構成を示す概略側面図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する場合がある。
【００２１】
また、本明細書及び全図面において、実質的に共通する複数の構成要素を、同一の符号の後に異なるアルファベットを付して区別する場合もある。例えば、実質的に共通する複数の構成要素を、必要に応じて集積部１１０ａおよび集積部１１０ｂのように区別する。ただし、実質的に共通する複数の構成要素の各々を特に区別する必要がない場合、同一符号のみを付する。例えば、集積部１１０ａおよび集積部１１０ｂを特に区別する必要が無い場合には、単に集積部１１０と称する。
【００２２】
以下に説明する実施形態においては、金融機関や店舗等のバックヤードにおいて、紙幣を金種ごとに分類し、計数し、さらに所定数ごとに結束する紙幣処理装置に適用した場合について説明する。なお、本実施形態は、このような装置に限定されるものではなく、紙葉類等の媒体を分類、整理する機構を有する媒体処理装置に適用することができる。例えば、プリンタやコピー機等の紙葉類を取り扱う装置や、小切手やチケット等を扱う装置等に適用することができる。
【００２３】
また、以下の説明において、搬送異常とは、搬送部にて紙幣（紙状媒体）同士が重なったり、紙幣同士が異常に近接したりすること、及び、スキュー（斜行）のことをいう。なお、スキュー（斜行）とは、長方形状の紙幣が、紙幣を搬送する搬送部の延びる方向に沿った正しい方向を向いた状態（紙幣の長辺の向きが搬送部の延びる方向と同じ状態）で搬送されていない場合、すなわち、紙幣が上記正しい方向に対して斜めに傾いた方向を向いた状態（長方形の紙幣の長辺の向きが搬送部の延びる方向に対して斜めに傾いた状態）で搬送されていることをいう。
【００２４】
＜紙幣処理装置１０〜１２に共通する構成の説明＞
まずは、後述する第１実施形態〜第３実施形態の紙幣処理装置１０〜１２に共通する構成について、紙幣処理装置１０を基に説明する。紙幣処理装置１０は、操作者により投入された例えば紙幣のような紙状媒体を整理するための装置である。詳細には、投入された紙幣を鑑別し、計数し、得られた鑑別結果に基づいて紙幣の金種ごとに集積し、集積された紙幣を所定の枚数ごとに結束する紙幣整理処理を行う。なお、以下の説明においては、紙状媒体として紙幣を整理する紙幣処理装置１０を本実施形態に係る媒体処理装置の一例として説明するが、本発明の実施形態においては、媒体は紙幣に限定されるものではない。
【００２５】
図１は、第１実施形態の紙幣処理装置の基本構成を示す概略側面図である。なお、図１、図４、及び図５においては、紙幣処理装置１０〜１２の左側が前面であり、操作者は、紙幣処理装置の左側に位置して前面より操作するものとする。
【００２６】
ここで、紙幣処理装置１０は、図１に示すように、取込部１００、鑑別部１０２、リジェクトポケット１０４、オープンポケット１０６、表裏反転部１０８、集積部１１０ａ〜１１０ｅ、移送部１１２、紙幣結束部１１４、搬送部１１６、検知部１１８、操作表示部１２０、操作部１２２、記憶部１２４、外部インターフェース部１２６、制御部１２８、扉１３４及び紙幣処理装置の筐体１６０を主に有する。
【００２７】
（取込部１００）
取込部１００は、紙幣処理装置１０の操作者と向かい合うように設けられ、操作者によって投入された複数の紙幣を取り込む部位（媒体取込部）である。取込部１００は、例えば、紙幣を収納する収納空間１５４と、ローラ１５０と、収納空間１５４からローラへ紙幣をガイドするガイド１５６と、紙幣をガイド１５６に押し当てるためのビルプレス１５８とを含む。収納空間１５４に投入された紙幣は、ビルプレス１５８によってローラ１５７に押し当てられ、ローラ１５７によってローラ１５０へ押し出され、ローラ１５０が回転することによって、搬送部１１６に一枚ずつ繰り出される。このビルプレス１５８の押し当て動作は、積層された紙幣の自重で代用してもよい。なお、取込部１００は、ビルプレス１５８の移動量を検知するセンサや残留を検出する光学センサ（図示省略）等を有することによって、紙幣処理装置１０に投入された全ての紙幣の処理の完了（投入完了）を検知することができるように構成してもよい。
【００２８】
（鑑別部１０２）
鑑別部１０２には、その内部にＯＣＲ（Ｏｐｔｉｃａｌ  Ｃｈａｒｃｔｅｒ  Ｒｅｃｏｇｎｉｔｉｏｎ）といったイメージセンサや磁気センサといった真偽センサ等の複数種類のセンサ（図示省略）が組み込まれている。そして、鑑別部１０２は、取込部１００に投入され、鑑別部１０２に搬送された紙幣に対して、例えば紙幣の真偽、金種などの紙幣の種類、正券（例えば、汚れが少ない紙幣）であるか損券（例えば、汚れが多い紙幣）であるかといった紙幣の正損、鑑別時における紙幣の表裏の向きを鑑別することができる。さらに、鑑別部１０２は、鑑別した紙幣を紙幣の種別ごとに計数することができ、計数した紙幣に記載された記番号を読み取ることもできる。なお、鑑別部１０２により鑑別された紙幣は、鑑別部１０２の排出口１０２ａから排出され、鑑別結果に基づいて、搬送部１１６により搬送先（例えば各集積部１１０ａ〜１１０ｅ）に搬送される。
【００２９】
（リジェクトポケット１０４）
リジェクトポケット１０４は、本実施形態に係る紙幣排出部の一例である。リジェクトポケット１０４は、鑑別部１０２により金種不明もしくは受付不能、受付対象外と鑑別された紙幣を格納する部位である。図１に示した例においては、リジェクトポケット１０４は、紙幣処理装置１０内の上方に設けられており、リジェクトポケット１０４に格納された紙幣を、紙幣処理装置１０の操作者が容易に回収することが可能である。
【００３０】
（オープンポケット１０６）
オープンポケット１０６は、本実施形態における結束対象外紙幣格納部の一例である。鑑別部１０２による鑑別結果が、リジェクトポケット１０４への搬送対象外で、かつ、予め紙幣処理装置１０における結束対象と定められている鑑別種別に該当しない場合には、鑑別され、搬送された紙幣は、オープンポケット１０６に格納される。オープンポケット１０６に格納される紙幣としては、予め結束対象と定められている鑑別種別が正券とされている場合には、損券がその一例として挙げられる。またオープンポケットに格納する紙幣の種別や枚数を指定して計数することも可能である。また、オープンポケット１０６は、図１に示した例においては、紙幣処理装置１０内の上方に設けられており、格納された紙幣を操作者が容易に回収することが可能である。なお、図１においては、オープンポケット１０６が２つ設けられているが、本実施形態においては、オープンポケット１０６の数が２つに限定されるものではなく、１つ以上あればよい。
【００３１】
（表裏反転部１０８）
表裏反転部１０８は、例えば、搬送された紙幣のうち裏面が上になっている紙幣に関して、表裏を反転する部位である。このようにすることで、紙幣は、表面が上になる状態で各集積部１１０ａ〜１１０ｅに集積されることができる。なお、本実施形態においては、表裏反転部１０８は、裏面が上になっている紙幣に対して反転する動作を行うことに限定されるものではなく、逆に、表面が上になっている紙幣に対して反転する動作を行ってもよい。また、図１の例においては、表裏反転部１０８は、操作者から見て、紙幣処理装置１０内の鑑別部１０２の後ろに設けられている。また、表裏反転部１０８は、鑑別部１０２と集積部１１０ａ〜１１０ｅの間に設けられている。そして、表裏反転部１０８は、基本的には、搬送先が各集積部１１０ａ〜１１０ｅである紙幣だけが搬送される。表裏反転部１０８は、鑑別部１０２で表裏を判定したあとの経路に設けられていれば良く、オープンポケット１０６に搬送される紙幣の表裏反転を行っても良い。
【００３２】
（集積部１１０ａ〜１１０ｅ）
各集積部１１０ａ〜１１０ｅは、基本的には、鑑別部１０２による鑑別後の鑑別結果が予め結束対象と定められている鑑別種別に該当する場合に、鑑別された紙幣が搬送され、かつ、搬送された紙幣を種別ごとに、集積する部位である。各集積部１１０ａ〜１１０ｅは、例えば操作者側に設けられた扉１３４を開けることによって、操作者によって取り出されることができる。扉１３４には、電磁ロック等の施錠機構（図示省略）及び扉１３４の開閉を検知する開閉センサ（図示省略）が設けられており、後述の制御部１２８が、施錠機構及び開閉センサを制御することにより、扉の施錠を制御し、操作者による扉１３４の開閉を検知することができる。また、各集積部１１０ａ〜１１０ｅは、予め定められた結束枚数（例えば１００枚）まで集積可能である。そして、各集積部１１０ａ〜１１０ｅに集積されている紙幣の枚数が結束枚数に達した場合には、集積されている紙幣は全て移送部１１２に搬送される。なお、図１の例においては、紙幣処理装置１０内の下方に、５個の集積部１１０ａ〜１１０ｅが縦一列に設けられているが、本実施形態においては、５個の集積部１１０に限定されるものではない。集積部１１０は、紙幣処理装置１０内に少なくとも２個以上設けられればよいが、紙幣処理装置１０において取り扱う金種の種類よりも多い数設けられることが好ましい。但し、処理効率は劣るが、１つの集積部でも１種類の処理は可能である。
【００３３】
また、各集積部１１０ａ〜１１０ｅには、集積された紙幣の容量を検知するための集積部用検知部１３２が設けられている。集積部用検知部１３２は、例えば光学式センサであることができ、集積部１１０に集積された紙幣によって光が遮られることにより集積された紙幣の容量を検知することができる。そして、集積部用検知部１３２は、取得した検知結果を制御部１２８に伝達する。制御部１２８は、制御部１２８へと検知結果を伝達した集積部用検知部１３２の設置位置により、どの集積部１１０に集積された紙幣の容量の検知結果であるかを認識することができる。
【００３４】
さらに、各集積部１１０ａ〜１１０ｅに集積される紙幣の金種は、後述する制御部１２８によって、なるべく紙幣処理装置１０における紙幣整理処理の処理時間が短くなるように、処理中にフレキシブルに割り当てられる。詳細には、鑑別部１０２によって紙幣処理装置１０への新たな金種の取込が認識された場合には、制御部１２８は、新たに認識された金種を、紙幣を集積していない空の集積部１１０に割当てる。この際、制御部１２８は、空の複数の集積部１１０のうち、なるべく紙幣結束部１１４に近い（図１においては、なるべく下方に位置する）集積部１１０に、当該金種を割当てる。先に説明したように、各集積部１１０ａ〜１１０ｅに所定の枚数の紙幣が集積された場合には、集積された紙幣は、所定の結束枚数ごとに結束するために、集積部１１０の下方に位置する紙幣結束部１１４に、移送部１１２によって移送される（なお、紙幣結束部１１４及び移送部１１２については、後で詳細を説明する）。したがって、紙幣処理装置１０における処理時間をより短くするためには、移送部１１２が集積部１１０から紙幣結束部１１４まで移動する距離が短くなるほど好ましい。したがって、制御部１２８は、なるべく紙幣結束部１１４に近い集積部１１０から使用するように、金種を割り当てる。
【００３５】
また、制御部１２８は、処理時間を短くするだけでなく、記憶部１２４に記録された各集積部１１０ａ〜１１０ｅの使用頻度をも参照して、処理時間を短くしつつ、なるべく均等に各集積部１１０ａ〜１１０ｅが使用されるように、金種を割当ててもよい。また集積部で不具合が発生するような場合には、不具合の発生頻度が高い集積部を使わないように設定することも可能である。
【００３６】
（移送部１１２）
移送部１１２は、各集積部１１０ａ〜１１０ｅから搬送された結束枚数の紙幣を紙幣結束部１１４へ移送する部位である。図１においては簡略化して示しているが、移送部１１２は、紙幣処理装置１０内に設けられ、紙幣処理装置１０の内部を図１の上下方向に集積部１１０ａ〜１１０ｅと紙幣結束部１１４との間を移動する。例えば、移送部１１２は、各集積部１１０ａ〜１１０ｅから所定枚数（例えば、１００枚）の紙幣を、クランプ部１１２ａを用いてクランプして抜き取り、上下移動手段１１２ｂによりクランプ部１１２ａを下降させて、紙幣結束部１１４に受け渡す。
【００３７】
（紙幣結束部１１４）
紙幣結束部１１４は、紙幣処理装置１０内に設けられ、移送部１１２から移送された所定の結束枚数の紙幣に対して、例えばテープを巻き付けて結束することにより、紙幣束を作成する。詳細には、紙幣結束部１１４は、紙幣束を紙幣結束部から、操作者側（図１中左側）に位置する放出口（図示省略）へ搬送するための紙幣束搬送部と、紙幣束を結束するテープを供給するテープ供給部と、テープを切断する切断部と、テープで紙幣を結束する結束機構と、テープに印字する印字部等を備えることができる。
【００３８】
（搬送部１１６）
搬送部１１６は、紙幣を各集積部１１０等の搬送先へ搬送する。詳細には、搬送部１１６は、図１中では帯状に示され、取込部１００から、鑑別部１０２及び表裏反転部１０８を貫き、集積部１１０ａ〜１１０ｅ等まで連続して設けられ、紙幣が搬送される搬送路（図示省略）と、複数のローラやベルト（図示省略）と、紙幣を案内する複数の切替部（図示省略）とを有する。各ローラやベルトは、搬送路を挟んで対向するように配置され、制御部１２８により制御されて各ローラやベルトが回転することにより、搬送路が所定の方向に移動し、紙幣を搬送することができる。さらに、搬送路に接して設けられた楔形形状の切替部の傾斜方向を変化させることで、紙幣の搬送方向を切り替えることができる。
【００３９】
なお、搬送部１１６は、取込部１００から鑑別部１０２内を貫く第１の領域１１６ａと、鑑別部１０２の排出口１０２ａからオープンポケット１０６、リジェクトポケット１０４のそれぞれまで連続する第２の領域１１６ｂと、鑑別部１０２の排出口１０２ａから表裏反転部１０８を経由して地点Ａ（図１中Ａで示される）までの第３の領域１１６ｃと、地点Ａから各集積部１１０ａ〜１１０ｅまで連続する第４の領域１１６ｄとを有する。第１の領域１１６ａ〜第３の領域１１６ｃは、取込部１００、鑑別部１０２、リジェクトポケット１０４、オープンポケット１０６、表裏反転部１０８、第１の領域１１６ａ〜第３の領域１１６ｃにある検知部１１８、操作表示部１２０、操作部１２２等を備える上段部３００に備えられている上段搬送部である。また、第４の領域１１６ｄは、上段部３００の下段に位置し、集積部１１０ａ〜１１０ｅ、移送部１１２、紙幣結束部１１４、記憶部１２４、外部インターフェース部１２６、制御部１２８及び扉１３４等を備える下段部５００に備えられている下段搬送部である。地点Ａの詳細については、後述する。
【００４０】
（検知部１１８）
検知部１１８は、図１中では向かい合う一対の三角形で示され、紙幣処理装置１０内の搬送部１１６の各所に複数設けられている。例えば、搬送部１１６の第３の領域１１６ｃと第４の領域１１６ｄにおける、紙幣の搬送状態を検知し、得られた検知結果を制御部１２８に伝達する。制御部１２８は、検知結果と、制御部１２８へと検知結果を伝達した検知部１１８の設置位置とにより、搬送異常およびそれが生じた位置を認識することができる。なお、検知部１１８としては、紙幣により光が遮られることにより搬送状態を検知する受発光センサからなる光学式センサ等を用いることができる。また、検知部１１８は、図１に示す数や位置に限定されるものではなく、適宜、紙幣処理装置１０内に設けられていればよい。例えば、集積部１００ａ〜１１０ｅへ搬送させる紙幣を検知する検知部１３２ａ〜１３２ｅが設けられることが出来る。
【００４１】
具体的には、検知部１１８が受発光センサである場合には、検知部１１８は、光を発する発光センサと、発光センサからの光を受光する受光センサとで構成され、これら受発光センサによって搬送中の紙幣の紙幣面を上下から挟み込むように搬送部１１６の各所に設けられる。このような受発光センサにより構成される検知部１１８は、検知部１１８の受発光センサの間を通過する紙幣により、発光センサからの光が遮られ、受光センサによって光が受光できない状態になることによって、紙幣の搬送状態を検知することができる。また、制御部１２８は、検知部１１８の検知結果に基づいて、光が遮られている時間、すなわち、搬送中の紙幣を検知している検知時間を計測することができる。さらに、制御部１２８は、搬送部１１６を制御することにより、検知部１１８の受発光センサの間を通過する紙幣の搬送速度を認識することができ、検知部１１８による理論上の検知時間（１枚の紙幣を検知する時間、すなわち、１枚の紙幣が検知部１１８の受発光センサの間を通過する時間）を算出することができる。したがって、制御部１２８は、検知部１１８の実際の検知時間と理論上の検知時間とを比較し、実際の検知時間が理論上の検知時間よりも長くなった場合に、例えば２枚の紙幣同士が重なっていたり、斜行したりといった搬送異常を検知することができる。
【００４２】
また、紙幣処理装置１０においては、取込部１００において一定時間ごとに１枚の紙幣を取り込むことにより、搬送中の紙幣と紙幣との間隔を適正な距離に保っている。したがって、制御部１２８は、先に説明したように検知部１１８の受発光センサの間を通過する紙幣の搬送速度を認識することができるため、検知部１１８による先の紙幣の検知の終了から次の紙幣の検知の開始までの理論上の検知インターバル時間を算出することができる。そして、制御部１２８は、検知部１１８によって実際に得られた検知インターバル実測時間と、理論上の検知インターバル時間とを比較し、実際の検知インターバル時間が理論上の検知インターバル時間よりも短い場合に、例えば２つの紙幣が異常に近接しているような搬送異常を検知することができる。
【００４３】
さらに、検知部１１８は、発光センサと受光センサとの一対で構成される検知部１１８を２つ組み合わせて用いることができる。具体的には、組み合わされた２つの検知部１１８は、一方の検知部１１８と他方の検知部１１８とで搬送中の紙幣の紙幣面と平行な面内において紙幣を両側から挟み込むように、搬送部１１６の両サイドに設けられる。すなわち、２つの検知部１１８は、各検知部１１８が搬送中の紙幣の紙幣面と平行な面内において搬送部１１６の延びる向きに対して垂直な方向に沿って紙幣を挟み込むように、設置される。このように設置された組み合わされた２つの検知部１１８においては、長方形状の紙幣が搬送部１１６の延びる方向に沿った正しい方向を向いた状態（すなわち、紙幣の長辺の向きが搬送部１１６の延びる方向と同じ状態）で搬送されていれば、当該紙幣によって同じ検知時間を得ることができる。一方、スキュー、すなわち、紙幣が上記正しい方向から斜めに傾いた方向を向いた状態（すなわち、紙幣の長辺の向きが搬送部１１６の延びる方向に対して斜めに傾いた状態）で搬送されていれば、この紙幣によって光が遮られる時間は、紙幣が傾いて搬送されていることから、搬送部１１６の両サイドで異なる。したがって、組み合わされた２つの検知部１１８においては、この紙幣によって異なる検知時間を得ることとなる。よって、制御部１２８は、搬送部１１６の両サイドに設けられた２つの検知部１１８が異なる検知時間を得たことにより、スキュー紙幣のような搬送異常を検知することができる。
【００４４】
なお、本実施形態においては、検知部１１８の形態は、上述の形態に限定されるものではなく、紙幣の搬送状態もしく搬送異常が検知できれば、他の形態であってもよい。
【００４５】
（操作表示部１２０）
操作表示部１２０は、本実施形態における表示部の一例である。操作表示部１２０は、図１においては、紙幣処理装置１０の上に位置し、操作者と向かい合う。さらに、操作表示部１２０は、紙幣処理装置１０の操作者に対して操作画面等を表示する表示部、及び操作者の操作を受け付ける操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は、例えばタッチパネルにより実現される。操作表示部１２０は、後述する制御部１２８の制御に従って、各種の操作画面、計数結果やエラーメッセージなどを表示し、操作者による紙幣処理装置１０に対する各種の入力操作を受け付け、制御部１２８に伝達する。なお、操作表示部１２０の操作部と表示部とは、上述のように、操作機能と表示機能の両方の機能を包含する操作表示部として構成されることに限定されるものではなく、例えば、操作部であるキーボードと表示部であるＣＲＴディスプレイ装置との組み合わせのように、別体のものとして構成されていてもよい。さらに、操作機能及び表示機能を有する各部位又は単一の部位が、紙幣処理装置１０の外部に位置していてもよい。
【００４６】
（操作部１２２）
操作部１２２は、本実施形態における操作部の一例である。操作部１２２は、図１においては、紙幣処理装置１０の上に位置する。操作部１２２には、例えば、操作者によって紙幣の計数を紙幣処理装置１０へ指示する機械式ボタン（図示省略）、操作者によって紙幣処理の完了を指示する機械式ボタン（図示省略）、紙幣処理装置１０に障害が生じた場合に紙幣処理装置１０を再稼働させる機械式のリセットボタン（図示省略）等を含むことができる。また、操作部１２２には、紙幣処理装置１０の処理状態を示すランプ（図示省略）が取り付けられており、例えば、このランプは、処理中には緑色に発光し、障害が発生した場合には赤色に発光することができる。なお、これらの操作部１２２の機能は、操作表示部１２０によって実現してもよい。
【００４７】
（記憶部１２４）
記憶部１２４は、例えば紙幣処理装置１０内に設けられ、例えば、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等により構成される。記憶部１２４は、例えば、制御部１２８が使用する制御プログラム、制御部１２８が用いる各種情報や鑑別部１０２による鑑別の際に用いられる情報が格納されるほか、鑑別部１０２による鑑別結果、計数結果および鑑別された紙幣に関する処理状況が対応づけて記憶される。さらに、具体的には、記憶部１２４に記憶される鑑別結果としては、紙幣の種別（金種）、紙幣の正損、紙幣の表裏、搬送先等が挙げられる。ここで、表裏とは、鑑別時における該当の紙幣の表裏の向きのことであり、搬送先とは、該当の紙幣が搬送される格納先のことである。なお、記憶部１２４は、紙幣処理装置１０の外部に設けられ、紙幣処理装置１０と通信ネットワークで接続されていてもよい。
【００４８】
（外部インターフェース部１２６）
外部インターフェース部１２６は、例えば紙幣処理装置１０内に設けられ、例えば通信ネットワークを介して外部装置との間で通信を行う通信インターフェースである。具体的には、外部インターフェース部１２６は、外部装置からの指示を受け取ったり、外部装置へ情報を通信したりすることができる。なお、外部インターフェース部１２６は、紙幣処理装置１０の外部に設けられ、紙幣処理装置１０と通信ネットワークで接続されていてもよい。
【００４９】
（制御部１２８）
制御部１２８は、例えば紙幣処理装置１０内に設けられ、ＣＰＵ（Ｃｅｎｔｒａｌ  Ｐｒｏｃｅｓｓｉｎｇ  Ｕｎｉｔ）を中心に構成されており、計数処理等の種々の処理のための制御を行うことができる。詳細には、制御部１２８は、操作表示部１２０からの入力や外部インターフェース部１２６が受け入れた外部装置（例えば、制御端末）からの情報に基づいて、記憶部１２４から所定のプログラムを読み出して実行することにより、操作表示部１２０、鑑別部１０２等の紙幣処理装置１０の各所を制御することができる。また、制御部１２８は、計数の完了を検知したり、各集積部１１０に集積する紙幣の金種を割当てたり、鑑別部１０２による紙幣の鑑別結果に基づいて、もしくは、検知部１１８の検知結果に基づいて、紙幣の搬送先を決定したりすることができる。なお、制御部１２８は、紙幣処理装置１０の外部に設けられ、紙幣処理装置１０と通信ネットワークで接続されていてもよい。
【００５０】
（比較例の紙幣処理装置の課題）
次に、本発明の実施形態を説明する前に、比較例の紙幣処理装置（媒体処理装置）の課題について説明する。比較例の紙幣処理装置では、取込部１００において、外部から埃等を取り込んでしまう場合がある。また、紙幣の鑑別、計数、または搬送する際に、鑑別部１０２や搬送部１１６の第１の領域１１６ａ〜第３の領域１１６ｃからインク粉や紙粉が発生する。上段部３００に備えられた取込部１００や鑑別部１０２、および上段部３００にある搬送部１１６からの異物は、上段部３００が下段部５００方向に有する開口部を介して下段部５００に落下する。
【００５１】
ここで、移送部１１２に備えられたクランプ部１１２ａや上下移動手段１１２ｂの駆動部分には、駆動を円滑にする潤滑油等が用いられている。そして、紙幣結束部１１４の紙幣束搬送部、テープ供給部、切断部、結束機構および印字部等の駆動部分にも、駆動を円滑にする潤滑油等が用いられている。また、集積部１１０には光学式センサ等（集積部用検知部１３２）が備えられている。
【００５２】
したがって、上段部３００から異物が下段部５００に落下すると、潤滑油等が異物に吸油されてしまい、移送部１１２や紙幣結束部１１４の駆動部分に不具合が生じる場合がある。また、光学式センサに異物が付着すると、集積された紙幣の容量や搬送される紙幣の状態を正確に検知することができない場合がある。すなわち、上段部３００から落下した異物が、下段部５００にある集積部１１０、紙幣結束部１１４及び移送部１１２等の動作不良や寿命低下をもたらす場合がある。
【００５３】
＜第１実施形態＞
上記した紙幣処理装置１０〜１２に共通する構成及び比較例の紙幣処理装置の課題を踏まえ、本発明の第１実施形態について説明する。図１に示す第１実施形態の紙幣処理装置は、２つのトレイ２００ａおよび２００ｂを備える。これらのトレイ２００ａおよび２００ｂは、紙幣処理装置１０の上段部３００に備えられている。そして、紙幣処理装置１０の上段部３００に備えられた、外部から埃等の異物を取り込むおそれのある取込部１００ならびに、インク粉や紙粉が発生するおそれのある鑑別部１０２、表裏反転部１０８、および上段部３００に備えられている上段搬送部（第１の領域１１６ａ〜第３の領域１１６ｃ）よりも下に配置されている。また、異物によって動作不良や寿命低下のおそれがある、集積部１１０、移送部１１２及び紙幣結束部１１４よりも上に配置されている。トレイ２００ａおよび２００ｂをこのように配置することにより、自由落下する異物をトレイ２００ａおよび２００ｂが受け止めることができ、下方の下段部５００へ落下することを防ぐことができる。
【００５４】
そして、トレイ２００ａおよび２００ｂは、紙幣処理装置１０の上段部３００が下段部５００方向に有する開口部３１０を閉鎖する（図２）。図２は、紙幣処理装置１０の上段部３００が下段部５００方向に有する開口部３１０が見えるよう、斜め下からの斜視図としている。トレイ２００ａおよび２００ｂは、開口部３１０を閉鎖する。トレイ２００ａおよび２００ｂで開口部３１０を閉鎖することにより、自由落下する異物のみならず、飛散する異物もトレイ２００ａおよび２００ｂで受け止めることができ、下方の下段部５００へ落下することを防ぐことができる。
【００５５】
なお、図２において、トレイ２００ａおよび２００ｂは、長方形の底面部２３０ａ、２３０ｂ、底面部の縁が上がった側面部２４０ａ、２４０ｂおよび取っ手部２５０ａ、２５０ｂを有する底の浅い容器として図示しているが、これに限定されない。
【００５６】
また、これらのトレイ２００ａおよび２００ｂは、鉛直方向において重複する（図１）。これにより、複数のトレイ２００ａおよび２００ｂがある場合において、トレイ２００ａおよび２００ｂの継ぎ目から異物が下方へ落下することを防ぐことができる。
【００５７】
本発明の実施形態において、トレイは２つ以上の複数からなってもよい。例えば、第１実施形態の紙幣処理装置１０では、上段搬送部において、表裏反転部１０８を出た第３の領域１１６ｃの経路に段差があることにより（図１）、開口部３１０の開口面にも段差がある（図２）。また、１つのトレイで閉鎖しようとすると、移送部１１２の上下移動手段１１２ｂ（図１）とトレイが接触するおそれがある。そこで、トレイ２００ｂをトレイ２００ａよりも上部に設置することで、開口部３１０を確実に閉鎖することができると共に、上下移動手段１１２ｂとトレイが接触することを防ぐことができる。また、複数のトレイ２００ａおよび２００ｂを備えることにより、トレイ１つあたりのトレイの大きさがコンパクトになるため、トレイ２００ａおよび２００ｂの取り出しが容易となり、トレイ２００ａおよび２００ｂに溜まった異物を容易に除去することができる。
【００５８】
そして、トレイ２００ａは、トレイ２００ａに溜まった異物を確認できるよう、透明窓２６０を備えることができる（図２）。図２では、２つの透明窓２６０がトレイ２００ａの底面部２３０ａに設けられているが、これに限定されない。例えば、トレイ２００ａの側面部２４０ａに透明窓２６０を設けることができる。また、透明窓２６０の数も限定されず、透明窓２６０を１つ以上設けることができる。トレイ２００ｂにも透明窓を設けてもよく、トレイそのものを透明材料で形成してもよい。透明窓や透明材料は、アクリル板、塩ビ板、透明プラスチック材料等を用いて形成することができる。
【００５９】
また、トレイ２００ａは、紙幣処理装置１０と吸着可能な吸着構造として、マグネット２７０を備えることができる。紙幣処理装置１０は鉄板等の磁性材料を部品として使用しており、磁石と吸着する。マグネット２７０が、開口部３１０付近の紙幣処理装置１０の一部と吸着することで、トレイ２００ａが開口部３１０を確実に閉鎖することができる。また、紙幣処理装置１０の稼働により、振動が発生する場合でも、トレイ２００ａの位置ずれを防ぐことができる。トレイ２００ｂもマグネットを備えることができる。また、トレイ２００ａおよび２００ｂの位置ずれを防ぐために、トレイ２００ａとトレイ２００ｂ同士を吸着するマグネット２７１及び２７２を、トレイ２００ａとトレイ２００ｂのそれぞれに備えることができる。
【００６０】
更に、トレイ２００ａは、トレイ２００ａにおける異物の貯留状況を検出する異物貯留センサ２０５を備えることができる。異物貯留センサ２０５としては、検知部１１８と同様に、光を発する発光センサと、発光センサからの光を受光する受光センサとで構成される受発光センサを用いることができる。トレイ２００ａに落下しようとする異物が受発光センサの間を通過するように、例えばトレイ２００ａの側面に受発光センサを配置することができる。このような配置により、異物によって発光センサからの光が遮られ、受光センサによって光が受光できない状態になることによって、異物の落下および堆積の状況を検知することができる。異物によって発光センサからの光が連続して遮られた場合には、トレイ２００ａに異物が十分に貯留したことを検知することができる。異物貯留センサ２０５は、トレイ２００ｂにも備えることができる。
【００６１】
本発明の実施形態において、操作表示部１２０は、異物の貯留状況を操作者に向けて表示することができる。すなわち、異物貯留センサ２０５によるトレイ２００ａや２００ｂへの異物の貯留状況の検知結果を、操作表示部１２０で表示することができる。異物の貯留状況は、トレイ２００ａおよび２００ｂのそれぞれについて表示することができる。これにより、操作者はトレイ２００ａや２００ｂへの異物の貯留状況を知ることができる。操作表示部１２０の詳細は、上述したとおりである。
【００６２】
また、操作表示部１２０は、トレイ２００ａや２００ｂに異物が所定量以上貯留した場合に、アラームを表示することができる。操作者がトレイ２００ａや２００ｂへの異物の貯留状況を把握していない場合であっても、アラームを表示することにより、異物の貯留状況を知ることができる。例えば、アラームの表示を確認した操作者は、トレイ２００ａや２００ｂを清掃して、異物を除去することができる。異物が所定量以上貯留したことを、どの異物貯留センサ２０５が検知したのかを判別して、トレイ２００ａおよび２００ｂのそれぞれについて、アラームを表示することができる。
【００６３】
更に、操作表示部１２０は、トレイ２００ａや２００ｂにおける異物の清掃手順を表示することができる。例えば、アラームが表示されて、トレイ２００ａや２００ｂの清掃を要する場合において、清掃手順を把握していない操作者であっても、表示された清掃手順を確認してトレイ２００ａおよび２００ｂの清掃をすることができる。異物の清掃手順は、トレイ２００ａおよび２００ｂのそれぞれについて、表示することができる。
【００６４】
また、トレイ２００ａおよび２００ｂは、それぞれレール２１０および２２０によって保持されて開口部３１０を閉鎖することができる（図２）。更に、トレイ２００ａは、取っ手部２５０ａを持って、レール２１０に沿って紙幣処理装置１０の前方向へスライドさせて、矢印Ｄの方向に引き出すことができる引き出し構造となっている。トレイ２００ｂも同様に、取っ手２５０ｂを持って、レール２２０に沿って紙幣処理装置１０の後方向へスライドさせて、矢印Ｅの方向に引き出すことができる引き出し構造となっている。図２では、取っ手２５０ａ及び２５０ｂはトレイ２００ａ及び２００ｂが引き出される側面部２４０ａ及び２４０ｂに設けられているが、これに限定されない。取っ手部２５０ａ及び２５０ｂはトレイ２００ａ及び２００ｂの任意の部分に適宜設けることができる。また、トレイあたりの取っ手部の数も限定されず、トレイ２００ａおよび２００ｂに対して、取っ手部２５０ａ及び２５０ｂを１つ以上設けることができる。
【００６５】
次に、トレイ２００ａを引き出して、紙幣処理装置１０から取り出す態様について説明する。図３は、第１実施形態の紙幣処理装置１０において、下段部５００の前面の開口部周辺４００を拡大した模式図である。図３（ａ）は下段部５００の扉１３４が閉まっている状態を図示しており、図３（ｂ）は下段部５００の扉１３４が開いている状態を図示している。搬送部１１６は、トレイ２００ａの上部にある地点Ａにおいて、第３の領域１１６ｃと下段搬送部である第４の領域１１６ｄに分けることができる。第３の領域１１６ｃを通る紙幣は、第３の領域１１６ｃの開口部３２０から、開口部３２０よりも口が広いラッパ形状の開口部３３０を経由して、第４の領域１１６ｄへ受け渡される。第４の領域１１６ｄは、扉１３４とトレイ２００ａとの間に位置して、かつ、扉１３４と一体に構成されている。そのため、扉１３４は第４の領域１１６ｄを伴って開けることができる（図３（ｂ））。これにより、トレイ２００ａは、扉１３４を開けることによってできる下段部開口部３４０から紙幣処理装置１０の前方向（矢印Ｄ）の方向へ引き出すことで、紙幣処理装置１０から取り出すことができる（図３（ｂ））。
【００６６】
なお、各集積部１１０ａ〜１１０ｅは、扉１３４を開けることによって、取り出すことができることは先述したとおりであるが、これが可能であるのは、第４の領域１１６ｄが扉１３４と一体に構成されているからである。すなわち、扉１３４は第４の領域１１６ｄを伴って開けることができるため、各集積部１１０ａ〜１１０ｅは、トレイ２００ａと同様に、扉１３４を開けることで下段部開口部３４０から取り出されることができる。
【００６７】
また、トレイ２００ｂは、紙幣処理装置１０の後方向（矢印Ｅ）へスライドさせて引き出すことができるのは、先述したとおりである。このような引き出しが可能であるのは、紙幣処理装置１０の内部の部品全体（取込部１００、鑑別部１０２、リジェクトポケット１０４、オープンポケット１０６、表裏反転部１０８、集積部１１０ａ〜１１０ｅ、移送部１１２、紙幣結束部１１４、搬送部１１６、検知部１１８、操作表示部１２０、操作部１２２、記憶部１２４、外部インターフェース部１２６、制御部１２８等）を、紙幣処理装置１０の筐体１６０から外部へ略水平方向にスライド移動させることができるからである。このようにスライド移動させることで、内部の部品全体と筐体１６０との間にトレイ２００ｂを引き出すスペースができ、トレイ２００ｂに溜まった異物を除去することができる。なお、扉１３４とは別に、トレイ２００ｂを引き出すことのできる扉等を、別途設けることができる。
【００６８】
（清掃手順の例）
次に、トレイ２００ａに異物が溜まった場合の、清掃手順の一例について説明する。例えば、トレイ２００ａが備える異物貯留センサ２０５が、トレイ２００ａに異物が溜まったことを検知すると、操作表示部１２０にアラームが表示される。操作者は、任意の操作により、又は自動で表示される清掃手順を確認することができる。清掃手順として、例えば（１）扉１３４を開ける、（２）トレイ２００ａを下段部開口部３４０から引き出して、紙幣処理装置１０より取り出す、（３）トレイ２００ａから異物を除去する、（４）下段部開口部３４０を介してトレイ２００ａをレール２１０に沿って紙幣処理装置１０へ挿入し、開口部３１０を閉鎖する、（５）扉１３４を閉める、という手順が表示されている。操作者は、この手順に従って清掃することができる。
【００６９】
なお、レール２１０には、例えばトレイ２００ａが開口部３１０を確実に閉鎖しているかを検知する閉鎖確認センサ（図示省略）を設けることができる。閉鎖確認センサによって、開口部３１０が閉鎖されていないことが検知された場合には、制御部１２８によって操作表示部１２０にアラームを表示させることができる。そして、閉鎖確認センサによって、開口部３１０が確実に閉鎖していることが検知された場合は、表示されていたアラームを非表示とすることができる。扉１３４の開閉についても同様に、開閉センサ（図示省略）、制御部１２８および操作表示部１２０が連動することで、扉１３４が開いている場合にはアラームを表示し、閉まっている場合にはアラームを非表示とすることができる。さらに、各センサによって、扉１３４が閉まっていること、開口部３１０が確実に閉鎖していること、およびトレイ２００ａに異物が溜まっていないことのそれぞれが検知された場合には、制御部１２８によって、操作表示部１２０に表示されていた清掃手順を非表示とすることができる。全てのアラームおよび清掃手順が操作表示部１２０で非表示となった場合には、操作者は清掃を終了し、紙幣処理装置１０の通常の操作を再開することができる。
【００７０】
＜第２実施形態＞
次に、本発明の第２実施形態について説明する。第２実施形態はトレイの態様が異なる点において、第１実施形態とは異なる紙幣処理装置である。図４は、第２実施形態の紙幣処理装置１１の構成を示す概略側面図である。第１実施形態とは異なり、１つのトレイ２０１を備える。上段搬送部の第３の領域１１６ｃの経路に段差がある場合であっても、上段部３００が下段部５００方向に有する開口部に段差がなく、移送部１１２の上下移動手段１１２ｂとトレイが接触するおそれがない場合には、１つのトレイ２０１で開口部３１０を閉鎖することができる。１つのトレイ２０１であれば、扉１３４を開けて下段部開口部３４０から引き出すことで、紙幣処理装置１０からトレイ２０１を取り出すことができる。そのため、紙幣処理装置１１の内部の部品全体を、紙幣処理装置１０の筐体１６０から外部へ略水平方向にスライド移動させることは要しない。
【００７１】
トレイ２０１は、第１実施形態のトレイ２００ａと同様に透明窓を設けてもよく、トレイ２０１そのものを透明材料で形成してもよい。また、紙幣処理装置１１と吸着可能な吸着構造（マグネット等）や、異物貯留センサ２０５を備えることができる。
【００７２】
＜第３実施形態＞
次に、本発明の第３実施形態について説明する。第３実施形態はトレイの態様が異なる点において、第２実施形態とは異なる紙幣処理装置である。図５は、第３実施形態の紙幣処理装置１２の構成を示す概略側面図である。第２実施形態と同様に、１つのトレイ２０２を備える。ただし、第１実施形態および第２実施形態とは異なり、トレイ２０２は水平方向と平行に設置されておらず、紙幣処理装置１２の後から前に向かって下降する傾きを有するように設置されている。このようにトレイ２０２が傾きを有して設置されていることで、操作者にとってトレイ２０２の手前側に異物が集まる。そのため、扉１３４を開けて、下段部開口部３４０から異物が集まった所定の長さだけトレイ２０２を引き出すことで、例えば掃除機等の吸引手段等を用いて異物を除去することができる。よって、トレイ２０２を紙幣処理装置１２から外部へ完全に取り出すことを要しない。また、トレイ２０２であれば、上段部３００が下段部５００方向に有する開口部が紙幣処理装置１２の後から前に向かって下降する傾きを有する場合であっても、当該開口部を確実に閉鎖することができる。
【００７３】
ここで、トレイ２０２は、第１実施形態のトレイ２００ａと同様に透明窓を設けてもよく、トレイ２０２そのものを透明材料で形成してもよい。また、紙幣処理装置１２と吸着可能な吸着構造（マグネット等）や、異物貯留センサ２０５を備えることができる。
【００７４】
＜まとめ＞
以上のように、本発明の紙幣処理装置１０〜１２であれば、上段部３００から異物が下段部５００に落下することを防ぐことができ、下段部５００にある集積部１１０、結束部１１４及び移送部１１２等の動作不良や寿命低下を防止することができる。
【００７５】
上記において、本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更および組み合わせを行うことができる。これら実施形態およびその変形は、発明の範囲や要旨に含まれるとともに、特許請求の範囲に記載された発明とその均等の範囲に含まれる。
【００７６】
例えば、本発明の実施形態において、トレイは、第１実施形態〜第３実施形態で説明した態様の他、上段部３００が下段部５００方向に有する開口部３１０の形状や、トレイの取り出しの容易性等を考慮して、任意の形状とすることができる。例えば、一定の形状に固定されることなく、弾性変形可能なトレイであれば、紙幣処理装置１０の内部の部品の配置の都合や、上段部３００が下段部５００方向に有する開口部３１０の形状の複雑さにも、柔軟に対応できるトレイとなる。
【００７７】
そして、第１実施形態では、トレイ２００ａ、２００ｂは上段部３００に備えられていることを説明し、第２実施形態及び第３実施形態では、トレイ２０１及び２０２は、上段部３００および下段部５００のいずれにも属さないものとして説明したが、本発明は第１実施形態〜第３実施形態に限定されない。本発明の実施形態において、トレイは、上段部３００に含まれる態様、下段部５００に含まれる態様及び上段部３００及び下段部５００のいずれにも属さない態様のいずれかの態様とすることができる。
【符号の説明】
【００７８】
１０、１１、１２  紙幣処理装置
１００  取込部
１０２  鑑別部
１０２ａ  排出口
１０４  リジェクトポケット
１０６  オープンポケット
１０８  表裏反転部
１１０、１１０ａ〜１１０ｅ  集積部
１１２  移送部
１１２ｂ  上下移動手段
１１４  紙幣結束部
１１６  搬送部
１１６ａ  第１の領域
１１６ｂ  第２の領域
１１６ｃ  第３の領域
１１６ｄ  第４の領域
１１８  検知部
１２０  操作表示部
１２２  操作部
１２４  記憶部
１２６  外部インターフェース部
１２８  制御部
１３２  集積部用検知部
１３４  扉
１５０、１５７  ローラ
１５４  収納空間
１５６  ガイド
１５８  ビルプレス
１６０  筐体
２００ａ  トレイ
２００ｂ  トレイ
２０１  トレイ
２０２  トレイ
２０５  異物貯留センサ
２１０  レール
２２０  レール
２３０ａ、２３０ｂ  底面部
２４０ａ、２４０ｂ  側面部
２５０ａ、２５０ｂ  取っ手部
２６０  透明窓
２７０  マグネット
３００  上段部
３１０  開口部
３２０  開口部
３３０  開口部
３４０  下段部開口部
４００  下段部の前面の開口部周辺
５００  下段部
【図１】
0006648471.tif 000002
【図２】
0006648471.tif 000003
【図３】
0006648471.tif 000004
【図４】
0006648471.tif 000005
【図５】
0006648471.tif 000006